(57)【要約】【課題】新規な光ファイバトレイと、光ファイバの収納方法を提供すること。【解決手段】外部から引き込まれた第一の光ファイバと、第一の光ファイバに接続される第二の光ファイバと、第一の光ファイバと第二の光ファイバとを中継する中継手段とを収納する光ファイバトレイにおいて、第一の光ファイバ又は第二の光ファイバを収納するための収納通路と、収納通路からの第一の光ファイバ又は第二の光ファイバのはみ出しを防止するため、収納通路の内壁及び外壁の上方から相対する壁に向かって、当該収納通路の下面と略平行に延出したファイバ押さえ手段とを備え、収納通路の内壁に設けたファイバ押さえ手段の延出端部と、収納通路の外壁に設けたファイバ押さえ手段の延出端部とを略同一線上に配置した。  【選択図】        図２
2006235081.tif 000002
【特許請求の範囲】
【請求項１】
外部から引き込まれた第一の光ファイバと、前記第一の光ファイバに接続される第二の光ファイバと、前記第一の光ファイバと前記第二の光ファイバとを中継する中継手段と、を収納する光ファイバトレイにおいて、
前記第一の光ファイバ又は前記第二の光ファイバを収納するための収納通路と、
前記収納通路からの前記第一の光ファイバ又は前記第二の光ファイバのはみ出しを防止するため、前記収納通路の内壁及び外壁の上方から相対する壁に向かって、当該収納通路の下面と略平行に延出したファイバ押さえ手段とを備え、
前記収納通路の内壁に設けた前記ファイバ押さえ手段の延出端部と、前記収納通路の外壁に設けた前記ファイバ押さえ手段の延出端部とを、略同一線上に配置したこと、
を特徴とする光ファイバトレイ。
【請求項２】
外部から引き込まれた第一の光ファイバと、前記第一の光ファイバに接続される第二の光ファイバと、前記第一の光ファイバと前記第二の光ファイバとを中継する中継手段と、を収納する光ファイバトレイにおいて、
前記第一の光ファイバ又は前記第二の光ファイバの最小許容半径以上の内径を有する略ループ状の収納通路と、
前記収納通路からの前記第一の光ファイバ又は前記第二の光ファイバのはみ出しを防止するため、前記収納通路の内壁及び外壁の上方から相対する壁に向かって、当該収納通路の下面と略平行に延出したファイバ押さえ手段とを備え、
前記収納通路の内壁に設けた前記ファイバ押さえ手段の延出長さを、前記収納通路の外壁に設けた前記ファイバ押さえ手段の延出長さより長くしたこと、
を特徴とする光ファイバトレイ。
【請求項３】
外部から引き込まれた第一の光ファイバと、前記第一の光ファイバに接続される第二の光ファイバと、前記第一の光ファイバと前記第二の光ファイバとを中継する中継手段と、を収納する光ファイバトレイにおいて、
前記第一の光ファイバ又は前記第二の光ファイバの最小許容半径以上の内径を有する略ループ状の収納通路と、
前記収納通路からの前記第一の光ファイバ又は前記第二の光ファイバのはみ出しを防止するため、前記収納通路の内壁及び外壁の上方から相対する壁に向かって、当該収納通路の下面と略平行に延出したファイバ押さえ手段とを備え、
前記ファイバ押さえ手段を、少なくとも、前記収納通路における外壁の角部に設けたこと、
を特徴とする光ファイバトレイ。
【請求項４】
外部から引き込まれた第一の光ファイバと、前記第一の光ファイバに接続される第二の光ファイバと、前記第一の光ファイバと前記第二の光ファイバとを中継する中継手段と、を収納する光ファイバトレイにおいて、
前記第一の光ファイバ又は前記第二の光ファイバを収納する収納通路と、
前記中継手段を着脱自在に保持するものであって、前記収納通路の下面と一体に設けられた保持手段とを備えたこと、
を特徴とする光ファイバトレイ。
【請求項５】
外部から引き込まれた第一の光ファイバと、前記第一の光ファイバに接続される第二の光ファイバと、前記第一の光ファイバと前記第二の光ファイバとを中継する中継手段と、を収納する光ファイバトレイにおいて、
前記第二の光ファイバを収納するもので、前記第二の光ファイバからの光を受光する受光部まで伸長した収納通路と、
前記収納通路の下面から直立し、前記第二の光ファイバの最小許容半径以上の曲率の側壁を有するファイバ導入ガイドとを備えたこと、
を特徴とする光ファイバトレイ。
【請求項６】
外部から引き込まれた第一の光ファイバと、前記第一の光ファイバに接続される第二の光ファイバと、前記第一の光ファイバと前記第二の光ファイバとを中継する中継手段と、を収納する光ファイバトレイにおいて、
前記第二の光ファイバを収納するもので、前記第二の光ファイバからの光を受光する受光部まで伸長した収納通路と、
前記第二の光ファイバと前記受光部とを接続するためのコネクタを収納するもので、前記収納通路の近傍に配置されたコネクタ収納部とを備えたこと、
を特徴とする光ファイバトレイ。
【請求項７】
外部から引き込まれた第一の光ファイバと、前記第一の光ファイバに接続される第二の光ファイバと、前記第一の光ファイバと前記第二の光ファイバとを中継する中継手段と、を収納する光ファイバトレイであって、前記第一の光ファイバの引き込み口近傍に至る第一の通路と、この第一の通路に挿通し、前記第一の光ファイバ又は前記第二の光ファイバの最小許容半径以上の内径を有する略ループ状の第二の通路と、前記中継手段を保持するための保持手段とを備えて構成された光ファイバトレイに対して、前記第一の光ファイバ及び前記第二の光ファイバを収納するための収納方法であって、
前記第一の光ファイバを巻き取って、前記第二の通路の内壁長と略同じ長さの円周をした複数の積み重なった輪状にするステップと、
複数の輪状になった前記第一の光ファイバを前記第二の通路に収納するステップと、
を含んだことを特徴とする光ファイバを収納するための収納方法。
【請求項８】
前記光ファイバトレイが、さらに、前記第二の通路に挿通し、前記第二の光ファイバの引き出し口近傍に至る第三の通路を備えて構成された光ファイバトレイに対して、前記第一の光ファイバ及び前記第二の光ファイバを収納するための収納方法であって、
前記第一の光ファイバと、前記第二の光ファイバとを、前記中継手段で中継するステップと、
前記中継手段を前記保持手段に保持するステップと、
前記第一の光ファイバを巻き取って、前記第二の通路の内壁長と略同じ長さの円周をした複数の積み重なった輪状にするステップと、
複数の輪状になった前記第一の光ファイバを前記第二の通路に収納するステップと、
前記第二の通路に収納された前記第一の光ファイバの一端を前記第一の通路へ収納すると共に、前記第一の光ファイバの他端と前記第二の光ファイバとを前記第三の通路へ収納するステップと、
を含んだことを特徴とする請求項７に記載の光ファイバを収納するための収納方法。
【請求項９】
前記光ファイバトレイが、さらに、前記第二の通路に挿通し、前記第二の光ファイバからの光を受光する受光部まで伸長した第四の通路を備えて構成された光ファイバトレイに対して、前記第一の光ファイバ及び前記第二の光ファイバを収納するための収納方法であって、
前記第一の光ファイバと、前記第二の光ファイバとを、前記中継手段で中継するステップと、
前記第一の光ファイバを巻き取って、前記第二の通路の内壁長と略同じ長さの円周をした複数の積み重なった輪状にするステップと、
前記中継手段を前記保持手段に保持するステップと、
複数の輪状になった前記第一の光ファイバを前記第二の通路に収納するステップと、
前記第二の通路に収納された前記第一の光ファイバの端部を前記第一の通路へ収納すると共に、前記第一の光ファイバの他端と前記第二の光ファイバとを前記第四の通路へ収納するステップと、
を含んだことを特徴とする請求項７に記載の光ファイバを収納するための収納方法。
【発明の詳細な説明】
【技術分野】
【０００１】
本発明は、光ファイバを収容する光ファイバトレイと、この光ファイバトレイに光ファイバを収納するための光ファイバの収納方法に関する。
【背景技術】
【０００２】
現在、光ファイバを使った家庭向けのデータ通信サービスであるＦＴＴＨ（Fiber To The Home）が一般家庭に普及しつつある。このＦＴＴＨにおいては、屋外に敷設された光ケーブルが、一般家屋等の屋内または屋外の壁面に設置された光受信機に接続される。そして、光ケーブルから光受信機を介して伝送されたデータが、家庭内のパソコンやＴＶ等の各機器に伝送される（例えば、特許文献１、及び、特許文献２参照）。
【０００３】
ここで、このような光受信機の従来の構造について説明する。図９は、従来の光受信機２１の分解斜視図である。この光受信機２１は、筐体２２に、光ファイバを整理・収容するための光ファイバトレイ２３を着脱自在に収めて構成されている。ここで、筐体２２は、光電変換部２４と、出力端子２５とを備えて構成されている。このうち、筐体２２には、屋外から引き込まれた光ケーブル（図示せず）を光受信機２１に引込み、また、光受信機２１内の光ケーブル（図示せず）を外部に引き出す光ケーブル挿通口２６が形成されている。また、光電変換部２４は、光ファイバ（図示せず）からの光信号を電気信号に変換する変換部であり、受光コネクタ（図示せず）を介して光ファイバ（図示せず）に接続される。さらに、出力端子２５は、光電変換部２４で変換された電気信号を光受信機２１から出力する端子であり、電気信号に変換されたデータを家庭内のＴＶ等の各機器に伝送する同軸ケーブル（図示せず）が接続される。
【０００４】
さらに、光ファイバトレイ２３の従来の構造について、詳しく説明する。図１０は、従来の光ファイバトレイ２３の斜視図である。光ファイバトレイ２３は、光ケーブル固定部２７、収容部２８、スプライサ保持部２９、及び、コネクタ収納部３０を備えて構成されている。このうち、光ケーブル固定部２７は、外部から筐体の内部に引き込まれた第一の光ケーブル３１を固定する。さらに、この光ケーブル固定部２７で、第一の光ケーブル３１に内包されていた第一の光ファイバ３２が露出される。
【０００５】
また、収容部２８は、第一の光ファイバ３２と第二の光ファイバ３３とを収容する。この収容部２８は、これらの光ファイバを収容するための複数の通路から構成されており、この中の通路の一つである通路３４は、これらの光ファイバの最小許容半径（光ファイバが折れや曲がりにより破損しない最小の半径をいう。以下同じ）以上の内径の内壁３５と、それより大きい半径を持った外壁３６とを有する略ループ形状をしている。第一の光ファイバ３２は、通路３４を何周か周回する形で収容された後、その一端がスプライサ３７と接続される。このスプライサ３７は、スプライサ保持部２９で保持される。このスプライサ保持部２９は、収容部２８の近傍へ設けられ、さらに、通路の下面から浮いた構造をしており、その下部を第一の光ファイバ３２が通るようになっている。
【０００６】
ここで、スプライサ３７がスプライサ保持部２９に保持された時に、第一の光ファイバ３２が収容部２８の内部でたるんで最小許容半径を確保できずに折れ曲がらないように、第一の光ファイバ３２の通路３４への巻き付け回数が決定される。この作業は、余長処理と言われる。また、通路３４の内壁３５と外壁３６の上端には、光ファイバのはみ出しを防止するファイバ押さえ３８がそれぞれ数箇所設けられている。さらに、スプライサ３７には、第二の光ファイバ３３の一端が接続される。
【０００７】
また、第一の光ファイバ３２が送付するデータは、通信と放送の２種類あり、この種類により、第二の光ファイバ３３の他端の行き先が異なる。例えば、第一の光ファイバ３２が通信データを送付する場合は、第二の光ファイバ３３は、第二の光ケーブル３９の状態で、筐体（図示せず）の光ケーブル挿通口（図示せず）を通って外部へ出る。また、第一の光ファイバ３２が放送データを送付する場合は、第二の光ファイバ３３は、受光コネクタ４０と接続し、さらにこの受光コネクタ４０を介して光電変換部（図示せず）と接続する。さらに、コネクタ収納部３０は、光電変換部（図示せず）と接続する前の受光コネクタ４０を仮固定するために、収容部２８内に設けられる。また、光ファイバトレイ２３には、通信用と放送用の２種類の光ファイバが両方同時に収容される場合もある。
【０００８】
【特許文献１】特開２００３−１３９９６４号公報
【特許文献２】特開２００４−３６１４３９号公報
【発明の開示】
【発明が解決しようとする課題】
【０００９】
しかしながら、従来の光ファイバトレイ２３は、内壁３５と外壁３６との間隔が狭いため、第一の光ファイバ３２を通路３４に輪状にして収容する時に、収容可能な最小半径と最大半径との差が小さかった。このため、第一の光ファイバ３２の余りが長く、第一の光ファイバ３２を幾重にも重ねて輪状とした上で、通路３４に収容しなければならない場合、それらの径をきちんと揃えて輪状にする必要があり、収容時間がかかっていた。また、第一の光ファイバ３２の円周長を調整し、余長処理できる範囲が狭く、そのままの長さで余長処理できない場合は、第一の光ファイバ３２の不要な部分を切断した上で、スプライサ３７に接続していた。
【００１０】
また、従来の光ファイバトレイ２３は、外壁３６にあるファイバ押さえ３８が短く、内壁３５にあるファイバ押さえ３８が長い構造をしていた。このため、第一の光ファイバ３２を輪状にして通路３４に収容すると、第一の光ファイバ３２が元に戻ろうとする力でその輪が外側に広がり、この結果、第一の光ファイバ３２が外壁３６にあるファイバ押さえ３８から飛び出してしまうことがあった。この場合、再度、通路３４に第一の光ファイバ３２を収容し直さなければならず、余分な時間がかかっていた。
【００１１】
また、従来の光ファイバトレイ２３は、外壁３６にあるファイバ押さえ３８が角部には配置されていなかった。このため、第一の光ファイバ３２を輪状にして通路３４に収容すると、第一の光ファイバ３２が元に戻ろうとする力でその輪が外側に広がり、その戻ろうとする力が集中する角部から第一の光ファイバ３２が飛び出してしまうことがあった。この場合も、再度、通路３４に第一の光ファイバ３２を収容し直さなければならず、余分な時間がかかっていた。
【００１２】
また、従来の光ファイバトレイ２３は、スプライサ保持部２９が、通路の下面から浮いた構造をしており、その形成が困難であった。
【００１３】
また、従来の光ファイバトレイ２３は、第二の光ファイバ３３が、収容部２８から光電変換部２４へ向かう途中の通路で、光ファイバの最小許容半径を確保できない箇所があり、その箇所で光ファイバが破損する恐れがあった。
【００１４】
また、従来の光ファイバトレイ２３は、コネクタ収納部３０が、収容部２８の通路と共有状態であったため、受光コネクタ２０の保持が不安定であった。
【００１５】
また、光ファイバトレイ２３に収容する光ファイバは２種類あるが、従来の光ファイバトレイ２３における各光ファイバの収容方法が確立しておらず、その解決が急務となっていた。
【００１６】
本発明は、上記に鑑みてなされたものであって、光ファイバの収容の際における収容時間の短縮と、収容の確実性の向上と、余長処理能力の向上とが可能な光ファイバトレイと、光ファイバの収容の際における収容時間の短縮が可能な、光ファイバトレイに光ファイバを収納する方法を得ることを目的とする。
【課題を解決するための手段】
【００１７】
上述した課題を解決し、目的を達成するために、請求項１に記載の光ファイバトレイは、外部から引き込まれた第一の光ファイバと、第一の光ファイバに接続される第二の光ファイバと、第一の光ファイバと第二の光ファイバとを中継する中継手段とを収納する光ファイバトレイにおいて、第一の光ファイバ又は第二の光ファイバを収納するための収納通路と、収納通路からの第一の光ファイバ又は第二の光ファイバのはみ出しを防止するため、収納通路の内壁及び外壁の上方から相対する壁に向かって、当該収納通路の下面と略平行に延出したファイバ押さえ手段とを備え、収納通路の内壁に設けたファイバ押さえ手段の延出端部と、収納通路の外壁に設けたファイバ押さえ手段の延出端部とを略同一線上に配置したことを特徴とする。
【００１８】
また、請求項２に記載の光ファイバトレイは、外部から引き込まれた第一の光ファイバと、第一の光ファイバに接続される第二の光ファイバと、第一の光ファイバと第二の光ファイバとを中継する中継手段とを収納する光ファイバトレイにおいて、第一の光ファイバ又は第二の光ファイバの最小許容半径以上の内径を有する略ループ状の収納通路と、収納通路からの第一の光ファイバ又は第二の光ファイバのはみ出しを防止するため、収納通路の内壁及び外壁の上方から相対する壁に向かって、当該収納通路の下面と略平行に延出したファイバ押さえ手段とを備え、収納通路の内壁に設けたファイバ押さえ手段の延出長さを、収納通路の外壁に設けたファイバ押さえ手段の延出長さより長くしたことを特徴とする。
【００１９】
また、請求項３に記載の光ファイバトレイは、外部から引き込まれた第一の光ファイバと、第一の光ファイバに接続される第二の光ファイバと、第一の光ファイバと第二の光ファイバとを中継する中継手段とを収納する光ファイバトレイにおいて、第一の光ファイバ又は第二の光ファイバの最小許容半径以上の内径を有する略ループ状の収納通路と、収納通路からの第一の光ファイバ又は第二の光ファイバのはみ出しを防止するため、収納通路の内壁及び外壁の上方から相対する壁に向かって、当該収納通路の下面と略平行に延出したファイバ押さえ手段とを備え、ファイバ押さえ手段を、少なくとも、収納通路における外壁の角部に設けたことを特徴とする。
【００２０】
また、請求項４に記載の光ファイバトレイは、外部から引き込まれた第一の光ファイバと、第一の光ファイバに接続される第二の光ファイバと、第一の光ファイバと第二の光ファイバとを中継する中継手段とを収納する光ファイバトレイにおいて、第一の光ファイバ又は第二の光ファイバを収納する収納通路と、中継手段を着脱自在に保持するものであって、収納通路の下面と一体に設けられた保持手段とを備えたことを特徴とする。
【００２１】
また、請求項５に記載の光ファイバトレイは、外部から引き込まれた第一の光ファイバと、第一の光ファイバに接続される第二の光ファイバと、第一の光ファイバと第二の光ファイバとを中継する中継手段とを収納する光ファイバトレイにおいて、第二の光ファイバを収納するもので、第二の光ファイバからの光を受光する受光部まで伸長した収納通路と、収納通路の下面から直立し、第二の光ファイバの最小許容半径以上の曲率の側壁を有するファイバ導入ガイドとを備えたことを特徴とする。
【００２２】
また、請求項６に記載の光ファイバトレイは、外部から引き込まれた第一の光ファイバと、第一の光ファイバに接続される第二の光ファイバと、第一の光ファイバと第二の光ファイバとを中継する中継手段とを収納する光ファイバトレイにおいて、第二の光ファイバを収納するもので、第二の光ファイバからの光を受光する受光部まで伸長した収納通路と、第二の光ファイバと受光部とを接続するためのコネクタを収納するもので、収納通路の近傍に配置されたコネクタ収納部とを備えたことを特徴とする。
【００２３】
また、請求項７に記載の光ファイバを収納するための収納方法は、外部から引き込まれた第一の光ファイバと、第一の光ファイバに接続される第二の光ファイバと、第一の光ファイバと第二の光ファイバとを中継する中継手段とを収納する光ファイバトレイであって、第一の光ファイバの引き込み口近傍に至る第一の通路と、この第一の通路に挿通し、第一の光ファイバ又は第二の光ファイバの最小許容半径以上の内径を有する略ループ状の第二の通路と、中継手段を保持するための保持手段とを備えて構成された光ファイバトレイに対して、第一の光ファイバ及び第二の光ファイバを収納するための収納方法であって、第一の光ファイバを巻き取って、第二の通路の内壁長と略同じ長さの円周をした複数の積み重なった輪状にするステップと、複数の輪状になった第一の光ファイバを第二の通路に収納するステップとを含んだことを特徴とする。
【００２４】
また、請求項８に記載の光ファイバを収納するための収納方法は、請求項７に記載の光ファイバを収納するための収納方法において、光ファイバトレイが、さらに、第二の通路に挿通し、第二の光ファイバの引き出し口近傍に至る第三の通路を備えて構成された光ファイバトレイに対して、第一の光ファイバ及び第二の光ファイバを収納するための収納方法であって、第一の光ファイバと、第二の光ファイバとを、中継手段で中継するステップと、中継手段を保持手段に保持するステップと、第一の光ファイバを巻き取って、第二の通路の内壁長と略同じ長さの円周をした複数の積み重なった輪状にするステップと、複数の輪状になった第一の光ファイバを第二の通路に収納するステップと、第二の通路に収納された第一の光ファイバの一端を第一の通路へ収納すると共に、第一の光ファイバの他端と第二の光ファイバとを第三の通路へ収納するステップとを含んだことを特徴とする。
【００２５】
また、請求項９に記載の光ファイバを収納するための収納方法は、請求項７に記載の光ファイバを収納するための収納方法において、光ファイバトレイが、さらに、第二の通路に挿通し、第二の光ファイバからの光を受光する受光部まで伸長した第四の通路を備えて構成された光ファイバトレイに対して、第一の光ファイバ及び第二の光ファイバを収納するための収納方法であって、第一の光ファイバと、第二の光ファイバとを、中継手段で中継するステップと、第一の光ファイバを巻き取って、第二の通路の内壁長と略同じ長さの円周をした複数の積み重なった輪状にするステップと、中継手段を前記保持手段に保持するステップと、複数の輪状になった第一の光ファイバを第二の通路に収納するステップと、第二の通路に収納された第一の光ファイバの端部を第一の通路へ収納すると共に、第一の光ファイバの他端と第二の光ファイバとを第四の通路へ収納するステップとを含んだことを特徴とする。
【発明の効果】
【００２６】
この発明によれば、光ファイバトレイは、収容部の空間を拡大することにより、収容部の余長処理が可能な範囲を広げることができるので、余分な光ファイバ切断作業を省略し、光ファイバの収容時間を短縮できるという効果を奏する。
【００２７】
この発明によれば、光ファイバトレイは、収容部の空間を拡大するとともに、ファイバ押さえの形状と配置を変更することにより、光ファイバの収容部からの飛び出しを防ぐことができるので、光ファイバの収容作業を容易とし、作業時間を短縮できるという効果を奏する。
【００２８】
この発明によれば、光ファイバトレイは、スプライサ保持部を光ファイバトレイの下面と一体化して設けることにより、その形成を容易にできるという効果を奏するとともに、スプライサ保持部の上を光ファイバが通ることができるので、光ファイバの収容作業を容易とし、作業時間を短縮できるという効果を奏する。
【００２９】
この発明によれば、光ファイバトレイは、ファイバ導入ガイドを設けることにより、光コネクタが受光部に接続されるまでの間、光ファイバの破損を防止できるという効果を奏する。
【００３０】
この発明によれば、光ファイバトレイは、コネクタ収納部を独立して設けることにより、光コネクタが受光部に接続されるまでの間、受光コネクタを光ファイバトレイに安定して保持できるという効果を奏する。
【００３１】
この発明によれば、光ファイバトレイの収容方法は、収容する光ファイバの種類に応じて収容方法を変更することにより、光ファイバの収容作業を容易にすることができるので、作業時間を短縮できるという効果を奏する。
【発明を実施するための最良の形態】
【００３２】
〔本発明の基本的概念〕
まず、本発明の基本的概念について説明する。本発明は、概略的に、通信機器の筐体の内部に取り付けられ、光ファイバの整理・収容を行う光ファイバトレイの構造と、光ファイバトレイへの光ファイバの収容方法に関する。ここで、通信機器には、光ファイバの整理・収容を行う光ファイバトレイを備えた全ての機器が該当し、具体的には、上述した光受信機や、屋内における光ケーブルの終端装置（ＯＮＵ：Optical Network Unit）が該当する。以下の各実施の形態においては、通信機器が光受信機である場合について説明する。
【００３３】
この光ファイバトレイの構造は、光ファイバを収容する部分の空間を拡大するとともに、光ファイバの収容部からの飛び出しを防止する部品の形状と配置とを変更することにより、光ファイバの収容作業を容易とし、作業時間を短縮することを目的とする。
【００３４】
また、この光ファイバの収容方法は、光ファイバが送信するデータの種類に応じて、光ファイバの収容位置が異なる光ファイバトレイにおいて、個々に光ファイバを収容する場合の収容時間、あるいは、全ての種類の光ファイバをまとめて収容する場合の収容時間が最短となる方法を提供することを目的とする。
【００３５】
〔実施の形態１〕
以下に添付図面を参照して、本実施の形態１に係る光ファイバトレイを詳細に説明する。
【００３６】
（光受信機の構成について）
最初に、光受信機の基本構成を説明する。図１は、本実施の形態１に係る光ファイバトレイを備えた光受信機１の斜視図であり、図２は、光受信機１を開けた状態における光ファイバトレイ４の平面図である。
【００３７】
光受信機１は、屋外の光ケーブル（図示せず）から受信した光信号データを、そのまま他の光ケーブル（図示せず）を介して屋内へ送信し、あるいは、電気信号データに変換した上で同軸ケーブル（図示せず）を介して屋内へ送信する。この光受信機１は、概略的に、筐体２、光電変換部３、及び、光ファイバトレイ４を備えて構成されている。
【００３８】
このうち、筐体２は、光受信機１の構造体であり、光電変換部３と光ファイバトレイ４とを保護する保護手段である。この筐体２は、一側面を開放した略箱形状のベース部５と、このベース部５をその開放面側から略覆うカバー部６とを備えて構成されており、カバー部６はベース部５に対して回動自在に軸支されている。
【００３９】
これらベース部５とカバー部６の下面には、それぞれ引込みレール７が二つ並列に形成されており、カバー部６を閉じてベース部５を略覆った状態において、これらベース部５の引込みレール７とカバー部６の引込みレール７とが相互に対向する。この対向状態において、これら引込みレール７の間には空間部が形成され、この空間部が光ケーブル挿通口８として機能する。これら二つの光ケーブル挿通口８は、外部から引込まれた光ケーブル（図示せず）を光受信機１に引込むための引込手段であり、外部から光受信機１の内部に至るように設けられた貫通路である。
【００４０】
また、光電変換部３は、屋外の光ケーブル（図示せず）から受光コネクタ（図示せず）を介して受信した光信号データを電気信号データに変換する光電変換手段であり、筐体２の内部に配置される。
【００４１】
（光ファイバトレイの構成について）
また、光ファイバトレイ４は、光ケーブルから引出された光ファイバ（図示せず）の整理・収容を行う収容手段であり、筐体２の内部に着脱可能な構造となっている。ここで、光ファイバトレイ４の構造について、さらに詳しく説明する。
【００４２】
図３は、光ファイバトレイ４の斜視図である。光ファイバトレイ４は、第一の光ケーブル固定部９ａ、第二の光ケーブル固定部９ｂ、収容部１０、スプライサ保持部１１、ファイバ導入ガイド１２、及び、コネクタ収納部１３を備えて構成されている。このうち、第一の光ケーブル固定部９ａは、屋外から引込まれた第一の光ケーブル１４ａを固定する固定手段であり、第二の光ケーブル固定部９ｂは、屋内へ引き出される第二の光ケーブル１４ｂを固定する固定手段である。
【００４３】
第一の光ケーブル固定部９ａは、光ファイバトレイ４を筐体の内部に装着した状態において、カバー部の側面との距離が近い方の光ケーブル挿通口の近傍位置に配置され、第二の光ケーブル固定部９ｂは、光ファイバトレイ４を筐体の内部に装着した状態において、カバー部の側面との距離が遠い方の光ケーブル挿通口の近傍位置に配置される。さらに、第一の光ケーブル固定部９ａで、第一の光ケーブル１４ａに内包されていた第一の光ファイバ１５ａが露出され、第二の光ケーブル固定部９ｂで、第二の光ケーブル１４ｂに内包されていた第二の光ファイバ１５ｂが露出される。
【００４４】
また、収容部１０は、第一の光ファイバ１５ａと第二の光ファイバ１５ｂとを収容する。この収容部１０は、これらの光ファイバが通る第一の通路１６ａ、第二の通路１６ｂ、第三の通路１６ｃ、及び、第四の通路１６ｄで構成されており、詳細については後述する。ここで、収容部１０は、特許請求の範囲における収納通路に対応する。
【００４５】
また、スプライサ保持部１１は、第一の光ファイバ１５ａと第二の光ファイバ１５ｂとを接続するスプライサ１９を保持する。ここで、スプライサ１９は、特許請求の範囲における中継手段に対応する。このスプライサ保持部１１は、第三の通路１６ｃの近傍かつ第四の通路１６ｄの近傍に、光ファイバトレイ４の下面と一体化して設けられている。より具体的には、スプライサ保持部１１は、光ファイバトレイ４の下面から相互に並行かつ等間隔に直立した三枚の壁であり、真ん中の壁が他の二つの壁に比べて長くなっている。そして、これら三枚の壁で形成された二つの空間に、それぞれスプライサ１９を保持することができる。
【００４６】
このため、光ファイバトレイの下面から浮いた構造となっていた従来のスプライサ保持部に比べて、その形成が容易であるとともに、スプライサ保持部１１の光ファイバトレイ４の下面からの高さが低くなる。このため、スプライサ保持部１１の上を光ファイバが通ることができ、後述する実施の形態２における光ファイバの収容方法で、その収容を容易にすることができる。ここで、スプライサ保持部１１は、特許請求の範囲における保持手段に対応する。
【００４７】
また、ファイバ導入ガイド１２は、第二の光ファイバ１５ｂの破損を防止するために、第四の通路１６ｄの近傍に設けられている。このファイバ導入ガイド１２は、光ファイバトレイ４の下面から直立し、第二の光ファイバ１５ｂの最小許容半径以上の曲率の面を有した側壁である。このため、後述する光ファイバの収容の際に、光ファイバの折れや曲がりによる破損を防ぐことができる。
【００４８】
また、コネクタ収納部１３は、第二の光ファイバ１５ｂと接続した受光コネクタ２０を、受光部（図示せず）と接続する前に一時的に保持するために、第四の通路１６ｄの近傍に設けられた専用の空間である。このため、後述する光ファイバの収容の際に、受光コネクタ２０の光ファイバトレイ４への仮固定が可能となる。
【００４９】
（収容部の構造について）
ここで、前述した収容部１０の構造について、さらに詳しく説明する。収容部１０は、第一の通路１６ａ、第二の通路１６ｂ、第三の通路１６ｃ、及び、第四の通路１６ｄで構成されている。ここで、第一の通路１６ａは、その一端が第一の光ケーブル固定部９ａから始まり、光ファイバトレイ４の対向する側面へ向かって延びた略直方体形状の空間である。
【００５０】
また、第二の通路１６ｂは、第一の通路１６ａの他端と通じた略ループ形状の空間であり、より具体的には、光ファイバトレイ４の底面と、この底面から直立し光ファイバの最小許容半径を確保した内壁１７ａと、同じく底面から直立し内壁１７ａより大きい半径をした外壁１７ｂとに囲まれた空間である。ここで、内壁１７ａと外壁１７ｂとの間隔が従来の光ファイバトレイより広くなるように、外壁１７ｂは配置されている。これにより、後述する光ファイバの収容と余長処理が容易となる。
【００５１】
また、内壁１７ａの上端には、光ファイバの上面からのはみ出しを防止する第一のファイバ押さえ１８ａが数箇所設けられ、さらに、外壁１７ｂの上端には、光ファイバの上面からのはみ出しを防止する第二のファイバ押さえ１８ｂが数箇所設けられている。ここで、第一のファイバ押さえ１８ａと第二のファイバ押さえ１８とは、特許請求の範囲におけるファイバ押さえ手段に対応し、その詳細については後述する。
【００５２】
また、第三の通路１６ｃは、その一端が第二の通路１６ｂと通じており、他端が、第二の光ケーブル固定部９ｂと通じた空間である。また、第四の通路１６ｄは、その一端が第二の通路１６ｂと通じており、他端が、光ファイバトレイ４を筐体２の内部に装着した状態において、第二の光ファイバ１５ｂからの光データを光電変換部（図示せず）へ伝えるための受光部（図示せず）まで伸びた空間である。ここで、第一の通路１６ａ、第二の通路１６ｂ、第三の通路１６ｃ、及び、第四の通路１６ｄは、お互いの通路が一部重複した構造となっている。
【００５３】
（光ファイバの収容）
次に、具体的に第一の光ファイバ１５ａと第二の光ファイバ１５ｂとを収容部１０に収容する場合について、より詳細に説明する。前述したように、第一の光ケーブル固定部９ａにおいて、屋外から筐体内部に引き込まれた第一の光ケーブル１４ａが固定され、内包されていた第一の光ファイバ１５ａが露出される。この第一の光ファイバ１５ａは、第一の通路１６ａを通り、第二の通路１６ｂへ向かう。次に、第一の光ファイバ１５ａは、第二の通路１６ｂを何周か周回する形で収容される。実際には、第一の光ファイバ１５ａを同径で重ねて何重かの輪状とした上で、第二の通路１６ｂに収容する。
【００５４】
これは第一の光ファイバ１５ａが、この後にスプライサ１９に接続され、さらに、このスプライサ１９がスプライサ保持部１１に保持された時に、第一の光ファイバ１５ａが長いため、収容部１０の内部でたるんで最小許容半径を確保できずに折れ曲がらないように、第一の光ファイバ１５ａを適切な長さに調節するためである。この作業は余長処理と言われ、実際には、第一の光ファイバ１５ａを第二の通路１６ｂに何周分周回させるかによって調節される。
【００５５】
ここで、前述したように、外壁１７ｂは、内壁１７ａとの間隔が従来の光ファイバトレイより広くなるように配置され、この結果、輪状となった第一の光ファイバ１５ａが、第二の通路１６ｂに収容可能な最大半径が大きくなっている。このため、第一の光ファイバ１５ａの余りが長く、何重にも重ねて輪状にした第一の光ファイバ１５ａの各径に多少ばらつきがあっても、第二の通路１６ｂに第一の光ファイバ１５ａを容易に収容することが可能となる。
【００５６】
（ファイバ押さえ）
また、第一の光ファイバ１５ａを第二の通路１６ｂに収容する時は、同径で重ねて何重かの輪状とした第一の光ファイバ１５ａを、前述した第一のファイバ押さえ１８ａと第二のファイバ押さえ１８ｂとにぶつからないようにして、収容する。
【００５７】
ここで、第一のファイバ押さえ１８ａと第二のファイバ押さえ１８ｂとについて、より詳しく説明する。これら第一のファイバ押さえ１８ａと第二のファイバ押さえ１８ｂとは、相対する外壁および内壁に向かって光ファイバトレイ４の底面に対して略平行に延出した略薄板長方片である。さらに、第一のファイバ押さえ１８ａの延出端部と、第二のファイバ押さえ１８ｂの延出端部とは、内壁１７ａの中心を中心点とした同じ半径の円周上に、略配置されている。
【００５８】
このため、第一の光ファイバ１５ａを当該半径の輪状にすれば、輪状となった第一の光ファイバ１５ａを、第一のファイバ押さえ１８ａと第二のファイバ押さえ１８ｂとを障害とせずに、容易に第二の通路１６ｂへ収容することができる。
【００５９】
また、第二のファイバ押さえ１８ｂの延出長さは、第一のファイバ押さえ１８ａの延出長さに比べて長くなっている。
【００６０】
このため、第一の光ファイバ１５ａの第二の通路１６ｂへの収容後に、輪状となった第一の光ファイバ１５ａが元に戻ろうとする力でその輪が外側に広がっても、第二のファイバ押さえ１８ｂが、第一の光ファイバ１５ａの飛び出しを防止することが可能となる。
【００６１】
さらに、外壁１７ｂの角部には、第二のファイバ押さえ１８ｂが配置されている。このため、第一の光ファイバ１５ａの第二の通路１６ｂへの収容後に、輪状となった第一の光ファイバ１５ａが元に戻ろうとする力でその輪が外側に広がり、さらにその力が角部に集中しても、角部に配置された第二のファイバ押さえ１８ｂが、第一の光ファイバ１５ａの飛び出しを防止する。
【００６２】
（通信用光ファイバと放送用光ファイバの収容）
次に、第一の光ファイバ１５ａは、その送信するデータの種類が通信用であるか、又は、放送用であるかにより、第三の通路１６ｃ、又は、第四の通路１６ｄへ向かう。また、第一の光ケーブル１４ａに内包されている第一の光ファイバ１５ａが２本あり、それぞれの光ファイバが通信用データと放送用データを送信する場合、通信用データを送信する第一の光ファイバ１５ａは第三の通路１６ｃへ向かい、放送用データを送信する第一の光ファイバ１５ａは第四の通路１６ｄへ向かう。
【００６３】
第一の光ファイバ１５ａが送信するデータが通信用の場合、第一の光ファイバ１５ａは第三の通路１６ｃへ向かう。そして、第一の光ファイバ１５ａは、第三の通路１６ｃの途中で、前述したようにスプライサ１９に接続され、さらに、このスプライサ１９がスプライサ保持部１１に保持される。さらに、スプライサ１９に、第二の光ファイバ１５ｂが接続され、この第二の光ファイバ１５ｂは、第三の通路１６ｃを進み、第二の光ケーブル固定部９ｂへ向かう。そして、第二の光ファイバ１５ｂは、第二の光ケーブル固定部９ｂで、第二の光ケーブル１４ｂに内包され、最後に、第二の光ケーブル固定部９ｂで固定された第二の光ケーブル１４ｂは、筐体内部から屋内へ引き出される。
【００６４】
また、第一の光ファイバ１５ａが送信するデータが放送用の場合、第一の光ファイバ１５ａは第四の通路１６ｄへ向かう。そして、第一の光ファイバ１５ａは、第四の通路１６ｄの途中で、前述したようにスプライサ１９に接続され、さらに、このスプライサ１９がスプライサ保持部１１に保持される。さらに、スプライサ１９に、第二の光ファイバ１５ｂが接続され、この第二の光ファイバ１５ｂは、第四の通路１６ｄを進み、ファイバ導入ガイド１２における第二の光ファイバ１５ｂの最小許容半径以上の曲率を有した側壁に沿って進んだ後に、受光コネクタ２０と接続される。受光コネクタ２０は、受光部（図示せず）と接続する前は、専用のコネクタ収納部１３に一時的に保持され、光ファイバトレイ４が筐体内部に装着された後に、受光部（図示せず）と接続される。
【００６５】
ここで、ファイバ導入ガイド１２は、光ファイバトレイ４が筐体２に装着され、光コネクタ２０が受光部（図示せず）に接続されるまでの間、第二の光ファイバ１５ｂをガイドし、その折れや曲がりによる破損を防ぐことができる。
【００６６】
また、コネクタ収納部１３は、光ファイバトレイ４が筐体２に装着され、受光コネクタ２０が受光部（図示せず）に接続されるまでの間、受光コネクタ２０を光ファイバトレイ内に一時的に保持する。このため、従来のように、コネクタ収納部が第四の通路と共有状態であったときに比べて、受光コネクタ２０を光ファイバトレイ４に安定して保持することが可能である。
【００６７】
ここで、スプライサ１９がスプライサ保持部１１に保持された後に、第二の光ファイバ１５ｂが第三の通路１６ｃを通り、第二の光ケーブル固定部９ｂと固定された時、又は、第二の光ファイバ１５ｂが第四の通路１６ｄを通り、受光コネクタ２０と接続された時に、第二の光ファイバ１５ｂが長いため、収容部１０の内部でたるんでしまう場合がある。
【００６８】
この場合、第二の光ファイバ１５ｂが、最小許容半径を確保できずに折れ曲がらないように、第二の光ファイバ１５ｂを適切な長さに調節するために、第二の光ファイバ１５ｂを第二の通路１６ｂに何周か周回する形で収容する。実際には、第二の光ファイバ１５ｂを同径で重ねて何重かの輪状とした上で、第二の通路１６ｂに収容する。この作業は前述した余長処理であり、実際には、第二の光ファイバ１５ｂを第二の通路１６ｂに何周分周回させるかによって調節される。
【００６９】
ここで、前述したように、外壁１７ｂは、内壁１７ａとの間隔が従来の光ファイバトレイより広くなるように配置され、この結果、輪状となった第二の光ファイバ１５ｂが、第二の通路１６ｂに収容可能な最大半径が大きくなっている。このため、第二の光ファイバ１５ｂの余りが長く、何重にも重ねて輪状にした第二の光ファイバ１５ｂの各径に多少ばらつきがあっても、第二の通路１６ｂに第二の光ファイバ１５ｂを容易に収容することが可能となる。
【００７０】
（収容時間）
図４は、従来の光ファイバトレイにおける光ファイバの収容時間と、本実施の形態１に係る光ファイバトレイ４との収容時間を比較した結果を表した図である。これは、実際の収容実験を各々について各５回行なった結果であり、今回の実験では、通信用と放送用の光ファイバを同時に光ファイバトレイへ収容している。また、この図中の「従来品」は「従来の光ファイバトレイ」を、「発明品」は「光ファイバトレイ４」をそれぞれ表す。尚、実験結果の信頼性を向上させるため、収容時間が最長の場合と最短の場合を除いた三回の平均時間を基準として、比較検討を行なう。この図によると、従来の光ファイバトレイの場合、光ファイバの収容時間は約1分３５秒かかっていたが、光ファイバトレイ４では、光ファイバの収容時間は五回の平均で約１分６秒となり、収容時間が約３０％短縮されたことがわかる。
【００７１】
このように、本実施の形態１に係る光ファイバトレイによれば、光ファイバを収容する収容部の空間を拡大するとともに、光ファイバの収容部からの飛び出しを防止するファイバ押さえの形状と配置を変更することにより、光ファイバの収容作業を容易とし、作業時間を短縮することが可能となる。
【００７２】
（余長処理）
また、前述したように、外壁１７ｂは、内壁１７ａとの間隔ができるだけ広くなるように配置され、この結果、輪状となった第一の光ファイバ１５ａ、又は、輪状となった第二の光ファイバ１５ｂが、第二の通路１６ｂに収容可能な最大半径と最小半径の差が大きくなっている。このため、輪状となった第一の光ファイバ１５ａの長さ、又は、輪状となった第二の光ファイバ１５ｂの長さを、第二の通路１６ｂ内で調整できる範囲、いわゆる余長処理できる長さの範囲が広くなっている。
【００７３】
図５は、従来の光ファイバトレイと本実施の形態１に係る光ファイバトレイ４とにおける余長処理可能な長さを比較した結果を表した図である。ここで、従来の光ファイバトレイの内壁の直径と、光ファイバトレイ４の内壁１７ａの直径（図３におけるＤ）とは、ともに６０ｍｍである。この図中の「従来品」は「従来の光ファイバトレイ」を、「発明品」は「光ファイバトレイ４」をそれぞれ表す。
【００７４】
また、この図中の「入力部から中継部までの余長処理可能長さ」とは、「第一の光ケーブル固定部からスプライサ保持部までの第一の光ファイバの余長処理可能長さ」を表す。また、この図中の光ファイバが内壁を周回する回数の項目で「０．５周（Ａ）」とは、第一の光ファイバが、第一の光ケーブル固定部から、第一の通路を通り、第二の通路における内壁の第一の光ケーブル固定部と反対側の半円を通った後、内壁を１周せずに、第三の通路の近傍にあるスプライサ保持部へ接続される場合である。
【００７５】
また、この図中の「中継部から出力部までの余長処理可能長さ」とは、「スプライサ保持部から第二の光ケーブル固定部までの第二の光ファイバの余長処理可能長さ」を表す。また、この図中の光ファイバが内壁を周回する回数の項目で「０．５周（Ｂ）」とは、第二の光ファイバが、スプライサ保持部から、第三の通路及び第四の通路を兼ねた内壁の第一の光ケーブル固定部と反対側の半円を通った後、内壁を１周せずに、第二の光ケーブル固定部へ接続される場合である。
【００７６】
この図によると、従来の光ファイバトレイの場合、第一の光ケーブル固定部からスプライサ保持部までの第一の光ファイバの余長処理可能長さは、内壁を０．５周した場合は、３６７．７〜４０２．３ｍｍであり、内壁を１．５周した場合は、５５６．１〜６３９．２ｍｍであり、内壁を２．５周した場合は、７４４．５〜８７６．２ｍｍである。このことから、従来の光ファイバトレイで余長処理できない第一の光ファイバの長さは、３６７．７ｍｍ未満の場合、４０２．３〜５５６．１ｍｍの場合、及び、６３９．２〜７４４．５ｍｍの場合である。
【００７７】
一方、この図によると、光ファイバトレイ４の場合、第一の光ケーブル固定部９ａからスプライサ保持部１１までの第一の光ファイバ１５ａの余長処理可能長さは、内壁１７ａを０．５周した場合は、３４３．０〜４１４．６ｍｍであり、内壁１７ａを１．５周した場合は、５３１．４〜７２７．９ｍｍであり、内壁１７ａを２．５周した場合は、７１９．８〜１０４１．２ｍｍである。このことから、光ファイバトレイ４で余長処理できない第一の光ファイバ１５ａの長さは、３４３．０ｍｍ未満の場合、４１４．６〜５３１．４ｍｍの場合である。
【００７８】
ここで、従来の光ファイバトレイと光ファイバトレイ４とを比較すると、光ファイバトレイ４の方が第一の光ファイバの余長処理可能な長さの範囲が広がっており、従って、第一の光ファイバ１５ａが、内壁１７ａを１周以上する長さを持っていれば、第一の光ファイバ１５ａを、切断することなく収容部１０内に収容することが可能である。
【００７９】
これと同様に、従来の光ファイバトレイと光ファイバトレイ４とを比較すると、光ファイバトレイ４の方が第二の光ファイバの余長処理可能な長さの範囲が広がっており、従って、第二の光ファイバ１５ｂが、内壁１７ａを１周以上する長さを持っていれば、第二の光ファイバ１５ｂを、切断することなく収容部１０内に収容することが可能である。
【００８０】
このように、本実施の形態１に係る光ファイバトレイによれば、光ファイバを収容する収容部の空間を拡大し、収容部の余長処理が可能な範囲を広げることにより、余分な光ファイバ切断作業を省略し、作業時間を短縮することが可能となる。
【００８１】
〔実施の形態２〕
次に、上述した実施の形態１に係る光ファイバトレイにおける光ファイバの収容方法について、以下説明する。本実施の形態２に係る光ファイバの収容方法は、実施の形態１と同様の構造を有した光ファイバトレイについて適用可能である。
【００８２】
（光ファイバの収容方法）
図６は、本実施の形態２に係る通信用データを送付する光ファイバの収容方法のイメージを表した図であり、図７は、本実施の形態２に係る放送用データを送付する光ファイバの収容方法のイメージを表した図である。光ファイバトレイの構造は、上述した実施の形態１と同様であり、同一の構成を同一の符号を付して説明する。
【００８３】
光ファイバトレイ４における光ファイバの収容方法としては、以下に詳説する方法Ａ、方法Ｂ、及び、方法Ｃの３つが考えられる。
【００８４】
（方法Ａ）
（１）第一の光ファイバ１５ａの一端と、第二の光ファイバ１５ｂの一端とを、スプライサ１９を介して接続する。
（２）第一の光ファイバ１５ａの他端を、第一の光ケーブル固定部９ａに固定する。
（３）第一の光ケーブル固定部９ａから伸びた第一の光ファイバ１５ａを第一の通路１６ａに収容する。
（４）第一の光ファイバ１５ａを第二の通路１６ｂに巻き付けながら収容する。
（５）スプライサ１９をスプライサ保持部１１に固定する。
（６）第二の光ファイバ１５ｂを第二の通路１６ｂに巻き付けながら収容する。
（７）第二の通路１６ｂから伸びた第二の光ファイバ１５ｂの一端を、第三の通路１６ｃ経由で第二の光ケーブル固定部９ｂに固定、又は、第四の通路１６ｄ経由で受光コネクタ２０へ接続する。
【００８５】
（方法Ｂ）
（１）第一の光ファイバ１５ａの一端と、第二の光ファイバ１５ｂの一端とを、スプライサ１９を介して接続する。
（２）第一の光ファイバ１５ａの他端を、第一の光ケーブル固定部９ａに固定する。
（３）スプライサ１９をスプライサ保持部１１に固定する。
（４）第一の光ファイバ１５ａと第二の光ファイバ１５ｂとを、それぞれの長さに応じて何重かの輪状に重ねる。
（５）何重かに重なり輪状となった第一の光ファイバ１５ａと第二の光ファイバ１５ｂとを、第二の通路１６ｂに収容する。
（６）第一の光ケーブル固定部９ａから伸びた第一の光ファイバ１５ａを第一の通路１６ａに収容する。
（７）第二の通路１６ｂから伸びた第二の光ファイバ１５ｂの一端を、第三の通路１６ｃ経由で第二の光ケーブル固定部９ｂに固定、又は、第四の通路１６ｄ経由で受光コネクタ２０へ接続する。
【００８６】
（方法Ｃ）
（１）第一の光ファイバ１５ａの一端と、第二の光ファイバ１５ｂの一端とを、スプライサ１９を介して接続する。
（２）第一の光ファイバ１５ａの他端を、第一の光ケーブル固定部９ａに固定する。
（３）第一の光ファイバ１５ａと第二の光ファイバ１５ｂとを、それぞれの長さに応じて何重かの輪状に重ねる。
（４）スプライサ１９をスプライサ保持部１１に固定する。
（５）何重かに重なり輪状となった第一の光ファイバ１５ａと第二の光ファイバ１５ｂとを、第二の通路１６ｂに収容する。
（６）第一の光ケーブル固定部９ａから伸びた第一の光ファイバ１５ａを第一の通路１６ａに収容する。
（７）第二の通路１６ｂから伸びた第二の光ファイバ１５ｂの一端を、第三の通路１６ｃ経由で第二の光ケーブル固定部９ｂに固定、又は、第四の通路１６ｄ経由で受光コネクタ２０へ接続する。
【００８７】
図８は、上述した収容方法の違いによる収容時間を比較した結果を表した図である。これは、通信用光ファイバを使用した場合と放送用光ファイバを使用した場合とについての収容実験を、方法Ａ、方法Ｂ、及び、方法Ｃについて各５回行なった結果である。尚、実験結果の信頼性を向上させるため、収容時間が最長の場合と最短の場合を除いた三回の平均時間を基準として、以後の比較検討を行なう。
【００８８】
この図によると、方法Ａによる収容時間は、通信用光ファイバを光ファイバトレイ４に収容する場合、約１分１０秒と二番目に短く、放送用光ファイバを光ファイバトレイ４に収容する場合、約１分と一番長い。方法Ｂによる収容時間は、通信用光ファイバを光ファイバトレイ４に収容する場合、約１分２秒と一番短く、放送用光ファイバを光ファイバトレイ４に収容する場合、約４９秒と二番目に短い。方法Ｃによる収容時間は、通信用光ファイバを光ファイバトレイ４に収容する場合、約１分５０秒と一番長く、放送用光ファイバを光ファイバトレイ４に収容する場合、約４０秒と一番短い。
【００８９】
以上より、通信用光ファイバを光ファイバトレイ４に収容する場合は、方法Ｂによる収容時間が、約１分２秒と一番短く、従って、方法Ｂが一番優れていると言える。また、放送用光ファイバを光ファイバトレイ４に収容する場合は、方法Ｃによる収容時間が、約４０秒と一番短く、従って、方法Ｃが一番優れていると言える。さらに、通信用光ファイバと放送用光ファイバとを同時に光ファイバトレイ４に収容する場合は、方法Ｂによる収容時間が、通信用光ファイバを光ファイバトレイ４に収容する場合、約１分２秒と一番短く、放送用光ファイバを光ファイバトレイ４に収容する場合、約４９秒と二番目に短いので、総合的に判断して、方法Ｂが一番優れていると言える。
【００９０】
また、方法Ｂと方法Ｃは、スプライサ１９をスプライサ保持部１１に固定した後に各光ファイバを収容部１０に収容するが、実施の形態１で前述したように、スプライサ保持部１１は、光ファイバトレイ４の下面と一体化して設けられているため、スプライサ保持部１１が、各光ファイバの収容を妨げず、このため、各光ファイバの収容が容易となる。
【００９１】
このように、本実施の形態２に係る光ファイバの収容方法によれば、光ファイバトレイに収容する光ファイバの種類に応じて、光ファイバの収容方法を変更することにより、光ファイバの収容作業を容易とし、作業時間を短縮することが可能となる。
【００９２】
〔実施の形態に対する変形例〕
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００９３】
（本発明の適用分野について）
本発明の適用対象は、上述したような光受信機には限られず、光ケーブル収納箱や光コンバータその他光ファイバを収納整理・収容を行う光ファイバトレイを備えた全ての機器に適用可能である。
【００９４】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、外壁側に配置されたファイバ押さえが、全ての光ファイバの飛び出しを防止できなくても、大部分の光ファイバの飛び出しを防止し、収容部から飛び出した残りの光ファイバが、光受信機中で折れ曲がらずに収容されている限り本発明の課題が達成されている。
【００９５】
（収容部の通路）
収容部の第三の通路と第四の通路とが、光ファイバトレイの中に同時に備えられていなくてもよい。例えば、光ファイバトレイが通信用の光ファイバしか収容しない場合は、収容部は第一の通路、第二の通路、及び、第三の通路だけ備えていてもよく、光ファイバトレイが放送用の光ファイバしか収容しない場合は、収容部は第一の通路、第二の通路、及び、第四の通路だけ備えていてもよい。
【産業上の利用可能性】
【００９６】
この発明は、各種の光ファイバを整理・収容を行う必要がある光ファイバトレイに適用でき、光ファイバの収容時間を短縮させることに有用である。
【図面の簡単な説明】
【００９７】
【図１】本実施の形態１に係る光ファイバトレイを備えた光受信機の斜視図である。
【図２】光受信機を開けた状態における光ファイバトレイの平面図である。
【図３】光ファイバトレイの斜視図である。
【図４】従来の光ファイバトレイにおける光ファイバの収容時間と、本実施の形態１に係る光ファイバトレイとの収容時間を比較した結果を表した図である。
【図５】従来の光ファイバトレイと本実施の形態１に係る光ファイバトレイ４とにおける余長処理可能な長さを比較した結果を表した図である。
【図６】本実施の形態２に係る通信用データを送付する光ファイバの収容方法のイメージを表した図である。
【図７】本実施の形態２に係る放送用データを送付する光ファイバの収容方法のイメージを表した図である。
【図８】収容方法の違いによる収容時間を比較した結果を表した図である。
【図９】従来の光受信機の分解斜視図である。
【図１０】従来の光ファイバトレイの斜視図である。
【符号の説明】
【００９８】
１  光受信機
２  筐体
３  光電変換部
４  光ファイバトレイ
５  ベース部
６  カバー部
７  引込みレール
８  光ケーブル挿通口
９ａ  第一の光ケーブル固定部
９ｂ  第二の光ケーブル固定部
１０  収容部
１１  スプライサ保持部
１２  ファイバ導入ガイド
１３  コネクタ収納部
１４ａ  第一の光ケーブル
１４ｂ  第二の光ケーブル
１５ａ  第一の光ファイバ
１５ｂ  第二の光ファイバ
１６ａ  第一の通路
１６ｂ  第二の通路
１６ｃ  第三の通路
１６ｄ  第四の通路
１７ａ  内壁
１７ｂ  外壁
１８ａ  第一のファイバ押さえ
１８ｂ  第二のファイバ押さえ
１９  スプライサ
２０  受光コネクタ
２１  光受信機
２２  筐体
２３  光ファイバトレイ
２４  光電変換部
２５  出力端子
２６  光ケーブル挿通口
２７  光ケーブル固定部
２８  収容部
２９  スプライサ保持部
３０  コネクタ収納部
３１  第一の光ケーブル
３２  第一の光ファイバ
３３  第二の光ファイバ
３４  通路
３５  内壁
３６  外壁
３７  スプライサ
３８  ファイバ押さえ
３９  第二の光ケーブル
４０  受光コネクタ
Ｄ  直径
【図１】
2006235081.tif 000003
【図２】
2006235081.tif 000004
【図３】
2006235081.tif 000005
【図４】
2006235081.tif 000006
【図５】
2006235081.tif 000007
【図６】
2006235081.tif 000008
【図７】
2006235081.tif 000009
【図８】
2006235081.tif 000010
【図９】
2006235081.tif 000011
【図１０】
2006235081.tif 000012